(57)【要約】      （修正有）【課題】製造が容易で物品を詰め易く、コストを低く抑えることが出来、物品の消費後も飾りとして再利用することが可能な、物品等の収容ケースを提供する。【解決手段】前壁１０と背壁１１と、前壁または背壁の好ましくは下部に設けられた折り込み片１９とから成り、折り込み片を折り込むと前壁と背壁との間が折り込み片の幅だけ筒のように広がって自立出来るようになると共に、この折り込み片の上方に菓子等の物品を収容する空間が形成されるように構成した。折り込み部に開いた窓から物品を容易に納めることが出来、またこの窓を通して外部から物品を見ることが出来る。【選択図】図１
2013047115.tif 000002
【特許請求の範囲】
【請求項１】
両側部で繋げられた前壁部と背壁部と、前記前壁部または前記背壁部に設けられた折り込み部とから成り、この折り込み部を折り込むと前壁部と背壁部との間が折り込み部の幅だけ広がって自立出来ると共にこの折り込み部の上方に菓子等の物品を収容する空間が形成されるように成した、物品等の収容ケース。
【請求項２】
前壁部とこの背面に両端部で取り付けられた背壁部と、前記前壁部または前記背壁部に設けられた折り込み部とから成り、この折り込み部を折り込むと前壁部と背壁部との間が折り込み部の幅だけ広がって自立出来ると共にこの折り込み部の上方に菓子等の物品を収容する空間が形成されるように成した、物品等の収容ケース。
【請求項３】
菓子等の物品を収容する前記空間の上方の、前記前壁部または前記背壁部に、この収容ケースの全体を筒状にするためのスペーサーとしての折り込み部を設けて成る、請求項１または請求項２に記載の物品等の収容ケース。
【請求項４】
前記前壁部または前記背壁部に手提げ部が設けられている、請求項１または請求項２に記載の物品等の収容ケース。
【請求項５】
外側に透明袋を被せて成る、請求項１または請求項２に記載の物品等の収容ケース。
【請求項６】
前記前壁部または前記背壁部の底部が船底に形成されている、請求項１または請求項２に記載の物品等の収容ケース。
【請求項７】
菓子等の物品を詰めるための袋を備えている、請求項１または請求項２に記載の物品等の収容ケース。
【発明の詳細な説明】
【技術分野】
【０００１】  この発明は、菓子等の物品を内部に納める作業が楽であり、そのままディスプレーとして使うことが出来、購入後や物品の消費後に思い出として飾って置くことが可能な、全く目新しい収容ケースに関する。
【背景技術】
【０００２】  従来より菓子箱などの物品の収容ケースをとして一般的なものは、紙製の容器部と蓋部とから成るものである。容器部内に仕切りを入れることがある。この一例として実用新案登録第３０４１１７７号の菓子包装用容器を上げる。また蓋部の一部を切り欠いたりここに透明フィルムを貼り付けたりして中身が見えるようにすることもある。
【先行技術文献】
【特許文献】
【０００３】
【特許文献１】実用新案登録第３０４１１７７号公報
【発明の概要】
【発明が解決しようとする課題】
【０００４】  このような収容ケースの問題点は、極めて在り来たりであること、菓子などを詰めたり包装したりの作業が容易ではないこと、菓子などを外から見せるには製造に手間が掛かること、この結果コストが高くなること、また菓子などを消費した後は廃棄されてしまうのが常であることなどが上げられる。【０００５】  そこでこの発明は、製造が容易で物品を詰め易くコストを低く抑えることが出来、物品の消費後も飾りとして再利用することが可能な、そうした物品等の収容ケースを提供することを課題とする。
【課題を解決するための手段】
【０００６】  上記課題は、請求項１の発明によれば、両側部で繋げられた前壁部と背壁部と、前記前壁部または前記背壁部に設けられた折り込み部とから成り、この折り込み部を折り込むと前壁部と背壁部との間が折り込み部の幅だけ広がって自立出来ると共にこの折り込み部の上方に菓子等の物品を収容する空間が形成されるように成すことによって解決される。また上記課題は、請求項２の発明によれば、前壁部とこの背面に両端部で取り付けられた背壁部と、前記前壁部または前記背壁部に設けられた折り込み部とから成り、この折り込み部を折り込むと前壁部と背壁部との間が折り込み部の幅だけ広がって自立出来ると共にこの折り込み部の上方に菓子等の物品を収容する空間が形成されるように成すことにより解決される。なお折り込み部は前壁部または背壁部の、上部、中部、下部のどの位置に設けても良いのであるが、物品を収納した際の重心位置を下に置くことをより重要視するのであれば、中部さらには下部に設けることが好ましい。なお後述する実施例２では折り込み部を上部に設けることはあまり意味がない。【０００７】  前壁部と背壁部とが両側部で繋げられていると言う場合、前壁部と背壁部とが別体でありそれ等が重合されて両側部で接着や蝶番止めが為されているもの、２つ折りにより前壁部と背壁部とが形成され両端部が接着されているもの、円筒を平らに潰して両側の折り目から前壁部と背壁部とが形成されているもの等を上げることが出来る。前壁部や背壁部の素材は任意であり、厚紙、合成樹脂シート、皮革などを必要に応じて選択したり混用することが可能である。またこれ等の表面にステッカーを貼ったり美麗な写真印刷などを施すことが出来る。【０００８】  紙製の円筒などでは両側から均一に圧力が加えられると平面状に潰れることが知られている。この加圧方向とは直角の両側部方向からの圧力によって元の円筒に近い形状に復元させることが出来る。この原理を応用して、前記平面状のものの上下端部を外側に突出する円弧状に成形し、この円弧状の突出片をやはり円弧状の折り線を付けるようにして内側へ折り込むことによって全体を脹らませることが出来る。【０００９】  前記折り込み部は、前壁部または背壁部に折り込み片が形作られるように、その周囲に切り込みを設けて成るものであり、こうして形成された折り込み片が相対する側の壁部を押すために、前壁部と背壁部との間隔がこの折り込み片の分だけ開いて結果的に膨らみ、立体化して自立可能な状態と成る。この膨らみが円に近くなるほど剛性が大きくなるわけである。また折り込み片の数を増やして例えば上下の２箇所に設けるなどすることによって、上記立体が上下共に膨らむようになるが、折り込み部を少なくとも上方部には設けないようにすることで（上方部に関してはスペーサとしての折り込み片を備えない）、前壁部と背壁部との間隔が開かず立体化されず、前壁部は比較的に平面状に近い状態を保つようにすることが可能である。従ってこの平面状の部位は写真印刷を施したりするのにより適していると言うことが出来る。なお前記折り込み部の折り目と成る部位をミシン目としと構成することが出来る。【００１０】  折り込み片が相対する側の壁部を押すと、前壁部と背壁部との間隔��この折り込み片の分だけ開いて膨らみここに空間が形成される。また折り込み片は相対する側の壁部を突っ張っているため、ここを棚とすることが出来る。すると折り込み片とこの上の空間はほぼ同じような大きさの物品を収納することが出来る。ここにこの発明の最大の特長があるのである。こうして収納された物品は、この状態で展示したり販売することが可能である。目新しく人目を惹き付けるものとなっている。また購入後も物品の消費後も、思い出などとして卓上に飾り続けることが出来る。【００１１】  さて、前壁部とこの背面に両端部で取り付けられた背壁部とから成ると言う場合、前記取り付け部分は例えばのりしろ部であったり掛合部であったり任意の設計が可能である。例えばのりしろ部の場合であるが、のりしろ部が前壁部と背壁部の両方に設けられており各々内側に折り込まれた状態で接着されるようになるため、厚紙の切断端部が見えることなく折り込みのアール形状が重なった状態で表われており、内側に折り込まれたのりしろ部同士が接着されているために、のりしろ部が表面に出てしまうようなことがなく、全体として実に体裁の良い構造物であると言うことが出来る。また例えば前記接合部が掛合部である場合では、前壁部と背壁部の掛合部同士が内側に折り込まれた状態で掛合されて、上記同様の作用を現ずる。【００１２】  なお前記折り込み片が底部に対して設けられている場合では、物品の収容ケースは下方が広く上方が細く成る傾向があるが、更に天部あるいは中間部分に設けることにより物品の収容ケースの全体を筒状と為すことが可能である。前壁部と背壁部との間をどのくらい脹らますかは前記立体化し得る手段の構成如何である。なお筒状体は上下に細長く形成することも、太く低く形成することも可能である。【００１３】  この構成の場合も、折り込み片が相対する側の壁部に突っ張って、前壁部と背壁部との間隔がこの折り込み片の分だけ開いて膨らみここに空間が形成されると共に、折り込み片が棚の役割を担うことが出来るから、ここが物品の収納場所となるのである。【００１４】  次に、前記前壁部または前記背壁部に手提げ部が設けられているものとすることが出来る。手提げ部の一例として前壁部と背壁部の同じ位置に設けた開口部を上げる。これによりこの開口部を手で持って提げることが出来る。この他、手提げ紐を付けるなど任意設計が可能である。【００１５】  次に、外側に透明袋（外包装袋）を被せて成るものとすることが出来る。収納する物品に埃が付いたり汚れたりするのを嫌うのであれば、折り込み片の上に置く物品そのものを包装してしまえば良いが、包装せずに置いたとしても外側に透明袋を被せてしまえば収容ケース共々埃や汚れから守ることが出来る。袋は透明であるから、外から内部を透視することが可能である。なおこの収容ケースは筒状を呈するものであるため、上方から被せた透明袋の口を収容ケースの底部から収容ケースの内部に詰めるようにして袋を止めることが可能であり、これもこの発明の優れた点であると言うことが出来る。【００１６】前記前壁部または前記背壁部の底部が、船底に形成されているものとすることが出来る。この発明は物品の消費後も飾りとして再利用することが可能なエコな収容ケース���ある。底部が船底に形成されていると揺すって遊ぶことが出来る。商品ディスプレーとして用いる場合にも好適である。【００１７】  次に、折り込み部の上方に菓子等の物品を詰めるための袋を備えているものとすることが出来る。この袋に詰められた菓子等の物品が折り込み片の上にあって折り込み部に開いた窓から見ることが出来るようになる。なお袋が透明であればこの袋に詰められた物品を透視することが可能である。
【発明の効果】
【００１８】  この発明は前壁部と背壁部と、前壁部または背壁部の好ましくは下部に設けられた折り込み部とから成り、折り込み部を折り込むと前壁部と背壁部との間が折り込み片の幅だけ広がって自立出来ると共に、この折り込み片の上方に菓子等の物品を収容する空間が形成されるように成したものである。これにより、従来の菓子箱などと比較して製造が容易で物品を詰め易く、コストを低く抑えることが出来、物品の消費後も飾りとして再利用することが可能になる、と言う優れた効果を奏するものとなっている。
【図面の簡単な説明】
【００１９】
【図１】  実施例１を組み立てた状態を表す説明図である。
【図２】  折り込み片１９周りを上から見た説明図である。
【図３】  実施例２を組み立てた状態を表す説明図である。
【図４】  折り込み片２９周りを下から見た説明図である。
【図５】  実施例３を組み立てた状態を表す説明図である。
【図６】  実施例３を反対側から見た説明図である。
【発明を実施するための形態】
【００２０】  以下３つの実施例を図面に基づいて説明するが、この発明はこれ等の実施例にのみ限定されるものではない。
【実施例１】
【００２１】  図１および図２でこの実施例の菓子ケース１を表す。型抜きした厚紙を折り返し部１２で折り返して前壁１０と後壁１１とに分け、前壁１０の上記折り返し部１２とは反対側にあるのりしろ片１３を以て、後壁１１の上記折り返し部１２とは反対側の縁部に接着すると、筒を形成する準備が整う。前壁１０には下側の折り返し線１８（ここはミシン目であると後々折り返しやすい）とこれに続く切り込み１７とが設けられており、この切り込み１７の内部は折り込み片１９になるわけであるが、これを内側に押すようにして上記折り返し線１８から押すと、折り込み片１９が後壁１１に突っ張って前壁１０と後壁１１との間を拡げ、筒状体を作り出すことが出来る。なお後壁１１の上方には延設部１４が延設されており、前壁１０の上縁部の下方に形成された折り返し線１００から上方を折り返すと折り込み片１０１が形成され、この折り込み片１０１は後壁１１の上記延設部１４を押してこの部位の前壁１０と後壁１１との間を拡げるため、菓子ケース１の上側までも筒状を形成することになる。なお菓子ケース１の下縁は筒状の底部１６となっている。この他、上記延設部１４には手提げ部１５が設けられている。この手提げ部１５は折り返し線とこれに続くサークル状の切り込みとから成り、この切り込みを破ることで手指を挿し入れるための孔が開くようになっている。【００２２】  折り込み片１９および折り込み片１０１が内側に折り込まれると、前壁１０と後壁１１との間が折り込み片１９の幅だけ広がって自立出来るようになる。と同時にこの折り込み片１９の上方に菓子を詰めた包装Ｐを収容するための空間が形成される。この折り込み片１９は棚の役割を担うものであり、ここが菓子の包装Ｐの収納場所となる。なお前壁１０と後壁１１とに美麗な印刷を施すことでディスプレーや置物としての価値が高まる。
【実施例２】
【００２３】  図３および図４でこの実施例の化粧品ケース２を表す。着色透明の合成樹脂フィルムを用いて前壁２０と後壁２１とが型抜きされている。前壁２０の両側縁にはのりしろ片２２が、また後壁２１の両側縁にはのりしろ片２３が形成されており、内側に折り込んだ上記のりしろ片２２，２３同士を合わせて接着することで筒を形成し得るようになる。ここで前壁２０には下側の折り返し線２８とこれに続く切り込み２７とが設けられており、この切り込み２７の内部すなわち折り込み片２９を内側に押すようにして上記折り返し線２８から押すことにより、折り込み片２９が後壁２１に突っ張り前壁２０と後壁２１との間を拡げるので、化粧品ケース２は自立出来るようになる。なお自立はするものの、ケースの下縁は船底２６となるように形成されているため、棚である折り込み片２９に載置された化粧品の包装Ｐを左右に揺らせて見せることが可能である。【００２４】  上記折り込み片２９の辺りは筒状を呈するのであるが、前壁２０と後壁２１との上縁は接着部２４で接着されて閉じられているため、この部位は筒状と言うよりは平面状を呈しており、この部位は表示面２５とするのに都合が良い箇所となっている。【００２５】  なお、図３および図４で鎖線Ｑで表したものは、この化粧品ケース２を外側から覆うための透明な外包装袋である。化粧品ケース２に上から外包装袋Ｑを被せて、外包装袋Ｑの口は船底２６から折り込み片２９の下の空間に押し込むようにするだけで簡易包装が実現する。これには例えば長さサイズの異なる幾つかの化粧品ケース２に対して、１種の外包装袋Ｑで対応することが出来ると言う効果もある。
【実施例３】
【００２６】  図５および図６でこの実施例のタオルケース３を表す。型抜きした着色透明の合成樹脂フィルムを用い、折り返し部３２で折り返して前壁３０と後壁３１とに分け、前壁３０の上記折り返し部３２とは反対側にあるのりしろ片３３を以て、後壁３１の上記折り返し部３２とは反対側の縁部に接着すると筒を形成し得るようになる。前壁３０の半分から下側には下側の折り返し線３７とこれに続く切り込み３６とが設けられており、この切り込み３６の内部は折り込み片３８になるわけであるが、これを内側に押すようにして上記折り返し線３７から押すと、折り込み片３８が後壁３１に突っ張って前壁３０と後壁３１との間を拡げ、この部位で筒状体を作り出すことが出来る（図５）。【００２７】  一方で、後壁３１の半分から上側には、下側の折り返し線３００とこれに続く切り込み３９とが設けられており、この切り込み３９の内部は折り込み片３０１になるわけであるが、これを内側に押すようにして上記折り返し線３００から押すと、折り込み片３０１が前壁３０に突っ張って前壁３０と後壁３１との間を拡げ、この部位で筒状体を作り出すことになる（図６）。なお符号３４はタオルケース３の底部を、符号３５はタオルケース３の天部を指している。【００２８】  従ってこの実施例のタオルケース３は、表側にも裏側にもタオルを載置する棚が設けられていることになる。図５の状態は前壁３０側が正面に見えている状態であるが、これを反転させると図６の後壁３１側が正面に見える状態となる。【００２９】  なおこの発明は上述した実施例に限定されないから、例えば前壁部と背壁部とが両側部で繋げられていると言う場合、両側部が単なる折り線のこともあれば、両側部が側壁であって、この側壁を介して繋がる構成も十分あり得る。
【産業上の利用可能性】
【００３０】  この発明の素材としては厚紙や合成樹脂フィルム以外にも、例えば薄い人造皮革などが使用可能である。収容ケース全体の大きさや形状は任意であり、収容ケースはそれ単体で提供しても良いし、中にぬいぐるみなどの商品を入れて提供しても良く、その用途は全く自由である。ディスプレーとしては内部にＬＥＤライトを装置して収容した物品をライトアップさせることが可能である。
【符号の説明】
【００３１】  １      菓子ケース        １０    前壁            １１    後壁
１２    折り返し部        １３    のりしろ片      １４    延設部
１５    手提げ部          １６    底部            １７    切り込み
１８    折り返し線        １９    折り込み片      １００  折り返し線
１０１  折り込み片        ２      化粧品ケース    ２０    前壁
２１    後壁              ２２    のりしろ片      ２３    のりしろ片
２４    接着部            ２５    表示面          ２６    船底
２７    切り込み          ２８    折り返し線      ２９    折り込み片
３      タオルケース      ３０    前壁            ３１    後壁
３２    折り返し部        ３３    のりしろ片      ３４    底部
３５    天部              ３６    切り込み        ３７    折り返し線
３８    折り込み片        ３９    切り込み        ３００  折り返し線
３０１  折り込み片        Ｐ      包装            Ｑ      外包装袋
【図１】
2013047115.tif 000003
【図２】
2013047115.tif 000004
【図３】
2013047115.tif 000005
【図４】
2013047115.tif 000006
【図５】
2013047115.tif 000007
【図６】
2013047115.tif 000008